(57)【特許請求の範囲】
【請求項１】
リーダライタとの無線によるデータ通信を行うための非接触インターフェース部と、
機器との有線によるデータ通信を行うための有線インターフェース部と、
前記機器の側から電力供給を受けるための電力導入部と、
前記リーダライタからの無線をエネルギー源として電力を発生する電力発生部と、
前記電力導入部から電力供給がされ得るように前記電力導入部に接続され、かつ前記有線インターフェース部に接続された、前記有線インターフェース部を介する前記機器とのデータ通信に伴う処理を行うＣＰＵと、
前記電力導入部に加えて前記電力発生部からも電力供給がされ得るように前記電力導入部および前記電力発生部に接続された、データを不揮発に書き込み、読み出し可能なメモリ部と、
前記電力導入部に加えて前記電力発生部からも電力供給がされ得るように前記電力導入部および前記電力発生部に接続され、かつ前記非接触インターフェース部および前記ＣＰＵとの相互接続を有する、前記非接触インターフェース部を介して得た前記メモリ部に書き込むべきデータの書き込み制御を前記メモリ部に対して行い、かつ、前記ＣＰＵから得た前記メモリ部に書き込むべきデータの書き込み制御を前記メモリ部に対して行い、かつ、前記リーダライタに送出すべきデータの読み出し制御を前記メモリ部に対して行って該データを前記非接触インターフェース部に供給し、かつ、前記ＣＰＵに送出すべきデータの読み出し制御を前記メモリ部に対して行って該データを前記ＣＰＵに供給するメモリ制御部と、
前記電力発生部が発生した電力に基づき、前記リーダライタから電波被照射中であることを示す信号を電磁界検出信号として生成しかつ該電磁界検出信号を前記機器が前記有線インターフェース部を介してデータ通信を行っているか否かにかかわらず前記機器に伝える検出信号生成部と
を具備することを特徴とするプラグ装置。
【請求項２】
前記有線インターフェース部が、前記機器との電気的な接続を行うための着脱可能なコネクタ部を含むことを特徴とする請求項１記載のプラグ装置。
【請求項３】
前記電磁界検出信号を前記ＣＰＵに導くように前記検出信号生成部から前記ＣＰＵへの電気的な接続があり、前記ＣＰＵが、前記電磁界検出信号に基づき、前記メモリ部に書き込むべきデータの、該ＣＰＵから該メモリ部への供給を停止することを特徴とする請求項１記載のプラグ装置。
【請求項４】
前記ＣＰＵが、前記電磁界検出信号に基づき、さらに、前記相互接続を介して前記メモリ制御部に対して、該ＣＰＵに送出すべきデータの読み出し制御を停止するように要求することを特徴とする請求項３記載のプラグ装置。
【請求項５】
リーダライタとの無線によるデータ通信を行うための非接触インターフェース部と；機器との有線によるデータ通信を行うための有線インターフェース部と；前記機器の側から電力供給を受けるための電力導入部と；前記リーダライタからの無線をエネルギー源として電力を発生する電力発生部と；前記電力導入部から電力供給がされ得るように前記電力導入部に接続され、かつ前記有線インターフェース部に接続された、前記有線インターフェース部を介する前記機器とのデータ通信に伴う処理を行うＣＰＵと；前記電力導入部に加えて前記電力発生部からも電力供給がされ得るように前記電力導入部および前記電力発生部に接続された、データを不揮発に書き込み、読み出し可能なメモリ部と；前記電力導入部に加えて前記電力発生部からも電力供給がされ得るように前記電力導入部および前記電力発生部に接続され、かつ前記非接触インターフェース部および前記ＣＰＵとの相互接続を有する、前記非接触インターフェース部を介して得た前記メモリ部に書き込むべきデータの書き込み制御を前記メモリ部に対して行い、かつ、前記ＣＰＵから得た前記メモリ部に書き込むべきデータの書き込み制御を前記メモリ部に対して行い、かつ、前記リーダライタに送出すべきデータの読み出し制御を前記メモリ部に対して行って該データを前記非接触インターフェース部に供給し、かつ、前記ＣＰＵに送出すべきデータの読み出し制御を前記メモリ部に対して行って該データを前記ＣＰＵに供給するメモリ制御部と；前記電力発生部が発生した電力に基づき、前記リーダライタから電波被照射中であることを示す信号を電磁界検出信号として生成しかつ該電磁界検出信号を前記機器が前記有線インターフェース部を介してデータ通信を行っているか否かにかかわらず前記機器に伝える検出信号生成部と；を有するプラグ装置と、
前記プラグ装置を組み込むべき前記機器と
を具備することを特徴とするプラグ装置組み込み機器。
【発明の詳細な説明】
【技術分野】
【０００１】
本発明は、各種の機器に組み込むことが可能なプラグ装置およびこれを組み込んだ機器に係り、特に、リーダライタからの照射電波で非接触通信を行うプラグ装置およびこれを組み込んだ機器に関する。
【背景技術】
【０００２】
近年、非接触データ通信の形態に広がりが出ている。もともとはＩＣタグ（無線タグ、ＲＦＩＤタグ、非接触データキャリアなどともいう）とこれにデータを書き込みまたは読み出すリーダライタとの組み合わせで使用されている。この場合、ＩＣタグが自身から電波を発するのは、もっぱらリーダライタ側からの電波照射を電力的に利用した場合に限られるので、その意味でＩＣタグはパッシブな存在である。ＩＣタグは、各種の機器や物品に付され使用される。リーダライタには、ＩＣタグまたはこれを付した機器や物品の種類に応じて専用のものが使われることが多いが、最近は、例えばスマートフォンのようなある種汎用の電子機器をリーダライタとする応用も考えられている。
【０００３】
また、逆に、特定の機器や物品の側をリーダライタとして機能させ、この機器や物品として必要な情報をＩＣタグ相当の機器との非接触通信を行って取り込む形態も使われている。特定の機器や物品の側をリーダライタとして機能させるために組み込むモジュールが開発されており、この場合のＩＣタグ相当の機器としては、例えばやはりスマートフォンのような電子機器が使用される。このときのスマートフォンはパッシブな存在である。
【０００４】
ＩＣタグは、一般にこれを付した機器や物品とは電気的に非接続であるが、ＩＣタグと同様な機能を有する部分をモジュール化しこれを電気的に組み込んだ構成も存在する（例えば特許文献１を参照）。一方、リーダライタは、一般に、これを備えた機器や物品の構成物と電気的に接続されている。
【先行技術文献】
【特許文献】
【０００５】
【特許文献１】特開２０１０−１３４６７２号公報
【特許文献２】特開２０００−２２７９５４号公報
【特許文献３】特開２０１０−１５２６８７号公報
【発明の概要】
【発明が解決しようとする課題】
【０００６】
本発明は、各種の機器に組み込むことが可能なプラグ装置およびこれを組み込んだ機器において、リーダライタからの照射電波で非接触通信ができ、また、機器との電気的な接続ができ、さらに、リーダライタ側との相互動作と機器側との相互動作とを調和的に行わせることが可能なプラグ装置およびこれを組み込んだ機器を提供することを目的とする。
【課題を解決するための手段】
【０００７】
上記の課題を解決するため、本発明の一態様であるプラグ装置は、リーダライタとの無線によるデータ通信を行うための非接触インターフェース部と、機器との有線によるデータ通信を行うための有線インターフェース部と、前記機器の側から電力供給を受けるための電力導入部と、前記リーダライタからの無線をエネルギー源として電力を発生する電力発生部と、前記電力導入部から電力供給がされ得るように前記電力導入部に接続され、かつ前記有線インターフェース部に接続された、前記有線インターフェース部を介する前記機器とのデータ通信に伴う処理を行うＣＰＵと、前記電力導入部に加えて前記電力発生部からも電力供給がされ得るように前記電力導入部および前記電力発生部に接続された、データを不揮発に書き込み、読み出し可能なメモリ部と、前記電力導入部に加えて前記電力発生部からも電力供給がされ得るように前記電力導入部および前記電力発生部に接続され、かつ前記非接触インターフェース部および前記ＣＰＵとの相互接続を有する、前記非接触インターフェース部を介して得た前記メモリ部に書き込むべきデータの書き込み制御を前記メモリ部に対して行い、かつ、前記ＣＰＵから得た前記メモリ部に書き込むべきデータの書き込み制御を前記メモリ部に対して行い、かつ、前記リーダライタに送出すべきデータの読み出し制御を前記メモリ部に対して行って該データを前記非接触インターフェース部に供給し、かつ、前記ＣＰＵに送出すべきデータの読み出し制御を前記メモリ部に対して行って該データを前記ＣＰＵに供給するメモリ制御部と、前記電力発生部が発生した電力に基づき、前記リーダライタから電波被照射中であることを示す信号を電磁界検出信号として生成しかつ該電磁界検出信号を前記機器が前記有線インターフェース部を介してデータ通信を行っているか否かにかかわらず前記機器に伝える検出信号生成部とを具備することを特徴とする。
【０００８】
このプラグ装置は、リーダライタの動作状態と機器の動作状態との組み合わせに応じて適切に動作できるように構成されている。換言すると、リーダライタ側との相互動作と機器側との相互動作とを調和的に行わせるべく構成されている。これは以下による。すなわち、「機器の側から電力供給を受けるための電力導入部」および「リーダライタからの無線をエネルギー源として電力を発生する電力発生部」を具備することを前提として、メモリ部およびメモリ制御部が、電力導入部に加えて電力発生部からも電力供給がされ得るように電力導入部および電力発生部に接続されている。また、リーダライタから電波被照射中であることを示す信号を電磁界検出信号として生成する検出信号生成部をさらに具備している。
【発明の効果】
【０００９】
本発明によれば、各種の機器に接続することが可能なプラグ装置およびこれを組み込んだ機器において、リーダライタからの照射電波で非接触通信ができ、また、機器との電気的な接続ができ、さらに、リーダライタ側との相互動作と機器側との相互動作とを調和的に行わせることが可能なプラグ装置およびこれを組み込んだ機器を提供することができる。
【図面の簡単な説明】
【００１０】
【図１】本発明の一実施形態であるプラグ装置の構成を、その連携するリーダライタ（スマートフォン）および各種機器の位置づけとともに示す機能ブロック図。
【図２】図１に示したプラグ装置における、リーダライタの動作状態と機器の動作状態との組み合わせで考えられる動作モードを示す説明図。
【図３】図１に示したプラグ装置を配線基板を用いて実現した場合の構成例を示す模式的な上面図。
【発明を実施するための形態】
【００１１】
本発明の実施態様として、前記有線インターフェース部が、前記機器との電気的な接続を行うための着脱可能なコネクタ部を含む、とすることができる。コネクタ部を着脱可能に設けることで、プラグ装置の機器への組み込みをユーザが必要に応じて自由に行うことができる。プラグ装置を複数の機器に共通に利用することもできる。
【００１２】
また、実施態様として、前記電磁界検出信号を前記ＣＰＵに導くように前記検出信号生成部から前記ＣＰＵへの電気的な接続があり、前記ＣＰＵが、前記電磁界検出信号に基づき、前記メモリ部に書き込むべきデータの、該ＣＰＵから該メモリ部への供給を停止する、とすることができる。検出信号生成部からＣＰＵへ電気的な接続を設けることにより、ＣＰＵは、プラグ装置が何らかの非接触通信を行っていることを了知できる。この了知により、この態様でＣＰＵは、メモリ部に書き込むべきデータの、ＣＰＵからメモリ部への供給を停止する。これによれば、機器によらずプラグ装置の側自体の対処として、メモリ部への書き込みアクセスにおいて非接触通信との競合を回避できる。
【００１３】
また、実施態様として、前記ＣＰＵが、前記電磁界検出信号に基づき、さらに、前記相互接続を介して前記メモリ制御部に対して、該ＣＰＵに送出すべきデータの読み出し制御を停止するように要求する、とすることができる。これによれば、機器によらずプラグ装置の側自体の対処として、メモリ部からの読み出しアクセスにおいても非接触通信との競合を回避できる。
【００１４】
以上を踏まえ、以下では本発明の実施形態を図面を参照しながら説明する。図１は、一実施形態であるプラグ装置の構成を、その連携するリーダライタ（スマートフォン）および各種機器の位置づけとともに示す機能ブロック図である。同図に示すように、このプラグ装置１は、コイルアンテナ１０、無線側接続部１１、電力発生部１２、メモリ制御部１３、メモリ部１４、端子部１５、有線側接続部１６、電力導入部１７、検出信号生成部１８、ＣＰＵ１９を有する。
【００１５】
コイルアンテナ１０および無線側接続部１１が非接触インターフェース部を構成し、この非接触インターフェース部は、この装置１とリーダライタ５０との無線によるデータ通信を行うために利用される。また、端子部１５および有線側接続部１６が有線インターフェース部を構成し、この有線インターフェース部は、この装置１と各種機器（ホストＣＰＵ）６０との有線によるデータ通信を行うために利用される。
【００１６】
コイルアンテナ１０は、リーダライタ５０からの照射電波（電磁界、無線）を感知しそのエネルギーおよびそれに含まれた情報を無線側接続部１１に伝送する。また、この照射電波の応答として、無線側接続部１１を介して供給された、情報の重畳された電力により、リーダライタ５０に照射すべき電磁界を発生する。
【００１７】
無線側接続部１１は、コイルアンテナ１０から伝えられたエネルギーとそれに含まれた情報とを切り離し、エネルギーについては電力発生部１２に送り、情報については、メモリ制御部１３に供給する。また、電力発生部１２が発生した電力を受けてこれをコイルアンテナ１０に供給するとともに、この電力に、メモリ制御部１３から供給された、メモリ部１４の読み出しデータである情報を重畳させる。無線側接続部１１から、情報が重畳された電力がコイルアンテナ１０に伝送される。
【００１８】
電力発生部１２は、無線側接続部１１を介して送られた無線のエネルギーを源泉として、無線側接続部１１のほか、メモリ制御部１３、メモリ部１４に供給する電力を発生する。また、電力の発生がされた旨を検出信号生成部１８に伝える。
【００１９】
メモリ制御部１３は、電力導入部１７に加えて電力発生部１２からも電力供給がされ得るように電力導入部１７および電力発生部１２に接続されている。電力導入部１７は、有線側接続部１６を介した、各種機器６０の側からの電力の導入部である。
【００２０】
また、メモリ制御部１３は、非接触インターフェース部（無線側接続部１１）およびＣＰＵ１９に接続されている。これにより、無線側接続部１１を介して得たメモリ部１４に書き込むべきデータの書き込み制御をメモリ部１４に対して行い、かつ、ＣＰＵ１９から得たメモリ部１４に書き込むべきデータの書き込み制御をメモリ部１４に対して行う。加えて、リーダライタ５０に送出すべきデータの読み出し制御をメモリ部１４に対して行ってこのデータを無線側接続部１１に供給し、かつ、ＣＰＵ１９に送出すべきデータの読み出し制御をメモリ部１４に対して行ってこのデータをＣＰＵ１９に供給する。
【００２１】
メモリ部１４は、電力導入部１７に加えて電力発生部１２からも電力供給がされ得るように電力導入部１７および電力発生部１２に接続された、データを不揮発に書き込み、読み出し可能なメモリである（例えばＥＥＰＲＯＭ）。データの書き込み、読み出しはメモリ制御部１３により制御される。
【００２２】
端子部１５は、この装置１と各種機器６０との電気的接続を行うための、端子を多数備えた物理的な部品である。一般には、このプラグ装置１を各種機器６０に恒久的に組み込むためのコネクタを用いることができる。あるいは、各種機器６０との間で着脱可能のコネクタを使用してもよい。コネクタを着脱可能に設けることで、プラグ装置１の各種機器６０への組み込みをユーザが必要に応じて自由に行うことができる。また、ひとつのプラグ装置１を各種機器６０に共通に利用することもできる。
【００２３】
有線側接続部１６は、端子部１５の各端子およびＣＰＵ１９に接続され、これにより、端子部１５とＣＰＵ１９との間のデータ（情報）の流れをバファリング（仲介）する。さらには、端子部１５を介して各種機器６０の側から供給される電力を電力導入部１７に送る。また、検出信号生成部１８が生成した信号（後述する電磁界検出信号）を端子部１５に伝える仲介を行う。
【００２４】
電力導入部１７は、各種機器６０の側を源泉とする電力の導入部であり、導入された電力をメモリ制御部１３、メモリ部１４、およびＣＰＵ１９に供給するため、有線側接続部１６と、メモリ制御部１３、メモリ部１４、ＣＰＵ１９との間に位置する。そのハードウエアとして、より具体的に例えば、降圧電源回路、リップル抑制デカップリングフィルタ回路、あるいは単なる導線などが考えられる。
【００２５】
検出信号生成部１８は、電力発生部１２が発生した電力に基づき、リーダライタ５０から電波被照射中であることを示す信号を電磁界検出信号として生成する。生成された電磁界検出信号は、有線側接続部１６およびＣＰＵ１９に送られる。この電磁界検出信号は、この装置１が、リーダライタ５０と交信中であることを各種機器６０の側およびＣＰＵ１９に伝えるための信号である（後述を参照）。検出信号生成部１８のハードウエアとしては、より具体的に、例えば、バッファ回路や、あるいは単なる導線とすることも考えられる。
【００２６】
ＣＰＵ１９は、有線インターフェース部１６と接続されていて、これにより、有線インターフェース部１６を介する機器６０の側とのデータ通信を行う。そしてこのデータ通信に伴い必要な各種の処理を行う。またＣＰＵ１９は、さらにメモリ制御部１３とも接続されており、これによりメモリ部１４に書き込むべきデータの供給をメモリ制御部１３に対して行い、またメモリ部１４から読み出されメモリ制御部１３を介して供給されたデータを受け取る。例えば典型的には、ＣＰＵ１９は、インターフェース変換プロセッサとして機能させることができる。なお、ＣＰＵ１９には、電力供給を受けるため、電力導入部１７からの接続がある。
【００２７】
前述のように検出信号生成部１８によって生成された電磁界検出信号は、ＣＰＵ１９にも導かれている。この構成により、ＣＰＵ１９は、電磁界検出信号に基づいて、メモリ部１９に書き込むべきデータの、ＣＰＵ１９からメモリ部１４への供給を停止できる。すなわち、検出信号生成部１８からＣＰＵ１９へ電気的な接続を設けることにより、ＣＰＵ１９は、このプラグ装置１が何らかの非接触通信を行っていることを了知でき、機器６０によらずプラグ装置１の側自体の対処として、メモリ部１３への書き込みアクセスにおいて非接触通信との競合を回避できる。
【００２８】
さらに、ＣＰＵ１９は、電磁界検出信号に基づいて、メモリ制御部１３に対して、ＣＰＵ１９に送出すべきデータの読み出し制御を停止するように要求することも可能である。これによれば、機器６０によらずプラグ装置１の側自体の対処として、メモリ部１４からの読み出しアクセスにおいても非接触通信との競合を回避できる。なお、書き込みアクセスに比較して読み出しアクセスは、競合による不都合はより小さい。書き込みの場合は、記憶している内容を変えてしまうが、読み出しの場合はそのようなことにはならず、単に並立動作速度が確保できるか否かの問題に留まるからである。並立動作が可能な速度を確保できるならば、ＣＰＵ１０へのデータの読み出し制御の停止要求には及ばない。
【００２９】
電磁界検出信号によってＣＰＵ１９が対処することに関しては、以上に代えて次のような構成によっても同じ効果がある。すなわち、電磁界検出信号は、検出信号生成部１８から、有線インターフェース部を介して各種機器６０にも供給されているので、電磁界検出信号を受けた各種機器６０の側において、プラグ装置１で非接触通信との競合が起こらないように、ＣＰＵ１９との通信を一部停止することができる。つまり、ＣＰＵ１９がメモリ部１４とアクセスすることを要するようなＣＰＵ１９と各種機器６０との通信を停止すれば、結果としてＣＰＵ１９がメモリ部１４とアクセスすることはなくなるので、プラグ装置１で非接触通信との競合は生じなくなる。このような機器６０の側における対処は、機器６０の側の設計によるところである。
【００３０】
以上、プラグ装置１の構成について説明した。プラグ装置１が組み込まれ得る各種機器６０には、次のようなものを想定することができる。例えば、ディジタルテレビ、オーブンや電子レンジのような調理器具、ナビゲーションシステム、携帯音楽プレーヤ、パソコン、ディジタルフォトフレーム、車両などである。図１中に示したように、各種機器６０は、ＡＣ電源駆動の場合と電池駆動の場合、両者考えられる。
【００３１】
次に、図２は、図１に示したプラグ装置１における、リーダライタ５０の動作状態と各種機器６０の動作状態との組み合わせで考えられる動作モードを示す説明図である。図２に示すように、プラグ装置１の動作モードとしては、リーダライタ５０の状態で大きく２つに分けることができ、さらに、そのそれぞれにおいて、各種機器６０がオフのとき、オンのとき、オンでかつプラグ装置１とアクセス状態であるとき、の３つの状態が考えられる。これにより、合計６つの動作モードが示される。
【００３２】
モード番号１から３は、リーダライタ５０がプラグ装置１とアクセスしていない状態（つまりリーダライタ５０がプラグ装置１と非近接である状態）のときのモードである。この場合、各種機器６０が電源オフであれば、当然ながらプラグ装置１としても何らの動作もしない（モード番号１）。各種機器６０が電源オンであれば、各種機器６０の側からプラグ装置１に電源供給されていて、いつでも各種機器６０との有線による通信（アクセス）が可能である（モード番号２）。そして、各種機器６０が電源オンで、かつ実際にプラグ装置１とＣＰＵ１９を介してアクセスを行い所定の通信している状態もあり得る（モード番号３）。
【００３３】
次に、モード番号４から６は、リーダライタ５０がプラグ装置１とアクセスしている状態（つまりリーダライタ５０をプラグ装置１に近接させた状態）のときのモードである。この場合であって、各種機器６０が電源オフであるときは、リーダライタ５０をエネルギー源とする電力により、プラグ装置１とリーダライタ５０との交信が可能である（モード番号４）。各種機器６０が電源オフ（電池切れの場合もあり得る）でもこれに組み込まれたプラグ装置１と交信できる点は、非接触通信の利点である。
【００３４】
リーダライタ５０がプラグ装置１に近接したときに、各種機器６０の側が電源オンになっている場合もあり得る（モード番号５）。この場合は、リーダライタ５０のプラグ装置１への近接に伴い、非接触通信が通常のようになされる。非接触通信は、リーダライタ５０の、プラグ装置１への近接がその開始のトリガになるからである。この場合の非接触通信では、プラグ装置１は、各種機器６０の側から常時、電力供給を受けているので、リーダライタ５０をエネルギー源とする電力で駆動されるには及ばない。
【００３５】
このプラグ装置１では、この場合、さらに、リーダライタ５０から電波被照射中であることを示す信号（電磁界検出信号）をプラグ装置１から各種機器６０に送出する。これは、前述したように、検出信号生成部１８の機能による。この信号を受けた各種機器６０は、これにより、プラグ装置１が何らかの非接触通信を行っていることを了知することができる。この了知により、例えば、各種機器６０は、非接触通信との競合が起こらないように、プラグ装置１へのアクセスを一部控えるというような対処が可能である。このような対処は、電磁界検出信号を受けた各種機器６０の側の設計によるところである。
【００３６】
最後に、リーダライタ５０がプラグ装置１に近接したときに、各種機器６０の側が電源オンになっていてかつ実際にプラグ装置１と各種機器６０とが通信中（アクセス中）であることもあり得る（モード番号６）。この場合も、モード番号５の場合と同様に、リーダライタ５０のプラグ装置１への近接に伴い、非接触通信が開始される。非接触通信は、リーダライタ５０の、プラグ装置１への近接がその開始のトリガになるからである。この場合の非接触通信も、プラグ装置１は、各種機器６０の側から常時、電力供給を受けているので、リーダライタ５０をエネルギー源とする電力で駆動されるには及ばない。
【００３７】
このようにプラグ装置１と各種機器６０とが通信中にリーダライタ５０とプラグ装置１との非接触通信が開始された場合も、上述のように電磁界検出信号をプラグ装置１から各種機器６０に送出する。この信号を受けた各種機器６０は、これにより、プラグ装置１が何らかの非接触通信を行っていることを了知し、非接触通信との競合が起こらないように、この場合はプラグ装置１へのアクセスを一部中断することができる。このような対処は、電磁界検出信号を受けた各種機器６０の側の設計によるところである。これらの点はすでに述べたとおりである。
【００３８】
プラグ装置１と各種機器６０との通信より、プラグ装置１とリーダライタ５０との非接触通信の方を優先する考えによれば、リーダライタ５０の、プラグ装置１への近接が常に非接触通信の開始トリガになり、使い勝手の良い非接触通信が実現する。ただし、どちらを優先するかの点は、各種機器６０の側の設計によるところであり、次のようにもできる。すなわち、電磁界検出信号を受けた各種機器６０が、プラグ装置１へのアクセスを一部中断する代わりに、中断せずに例えば警告音を発して非接触通信が拒否された旨をリーダライタ５０の使用者に報知するというような考えもあり得る。
【００３９】
以上説明したプラグ装置１は、単なる非接触データキャリアとは次の点で異なる。すなわち、メモリ部１４に書き込まれるデータが非接触データ通信を由来とするものに限らず、各種機器６０の側を由来とするデータもあり得る。つまり、非接触データ通信で扱われるデータが、各種機器６０と連動した動的データ（可変値）になり得る。よって、プラグ装置１が組み込まれた各種機器６０は、単に、各種機器６０に非接触データキャリアを備えさせたものとは異なるのみならず、各種機器６０の側から見ても、外から情報を簡便に取り入れることが可能な、便利な非接触通信媒体を備えたものになっている。
【００４０】
このような利点を踏まえたプラグ装置１の応用について、組み込むべき各種機器として車両を考えた場合の例を以下いくつか示す。
【００４１】
車両には、近年、車内有線ネットワークとして、ＣＡＮ（controller area network）や、その下位としてＬＩＮ（local interconnect network）が設けられている場合がある。これらのネットワークに接続するように上記説明したプラグ装置１を車両に備えるようにする。プラグ装置１は、車両の車内用と車外用とを別々に設けることも考えられる。
【００４２】
プラグ装置１を備えた車両の場合、リーダライタ５０であるスマートフォンにより、例えば、運転ログや車両状態（故障）情報、そのマニュアルなどをプラグ装置１を介して容易に吸い出すように構成できる。吸い出したログや情報などは、車両外でその解析や記録など２次使用することができる。
【００４３】
また、逆に、リーダライタ５０であるスマートフォンから、プラグ装置１を介して車両の側に運転予定や運転者への指示などの入力を行うことができる。これらの入力は、車内ネットワークにつながっている例えばカーナビに連携させることができる。
【００４４】
また、車外用のプラグ装置１を、車両の鍵に連動するように設けておき、このプラグ装置１に送ったスマートフォンのＩＤが認証できた場合に車両の鍵を開錠する。一方、車内用のプラグ装置１は、開錠したスマートフォンと同一のＩＤが確認できた場合のみアクセスできるように構成しておけば、セキュリティを向上できる、というような応用も可能になる。
【００４５】
以上説明したように、このプラグ装置１を各種機器６０に組み込んだ場合、リーダライタ５０側との相互動作と各種機器６０側との相互動作とを調和的に行わせることが可能であり、これにより、上記のような多様な応用に寄与することができる。プラグ装置１は、リーダライタ５０とは異なりパッシブな存在のものであり、強電界の電波を出さないので、電波規制の対象にならず応用できる機器に大きな広がりが期待できる。また、リーダライタ５０であるスマートフォンが各種機器６０と機能的に相互に連動できるようになるので、スマートフォンを介して異なる各種機器６０間での緊密な連携も可能になる。例えば各種機器６０をクラウド上の情報やＳＮＳに連携させることも容易になる。
【００４６】
次に、図１に示したプラグ装置１を配線基板を用いて実現した場合の構成例について説明する。図３は、このような実現を図った配線基板の例を示す模式的な上面図である。図３において、図１中に示した構成要素と同一または対応するものには同一符号を付してある。
【００４７】
図３に示すように、このプラグ装置は、配線基板２１を用い、その上に必要な電気的要素を実装して構成されている。コイルアンテナ１０は、配線基板２１上に形成された配線パターンにより渦巻状に設けられている。配線基板２１は、配線層を両面に備えた両面基板のほか、３層以上の配線層を備えた多層配線板を用いてもよく、それらの場合にはコイルアンテナ１０は、これらの複数の配線層に渡ってひとつのループになるように形成され得る。符号１０ａは、整合用可変キャパシタであり、使用される周波数帯（例えば１３．５６ＭＨｚ）におけるコイルアンテナ１０の電力的整合のため、それと並列に接続され実装されている。
【００４８】
そしてこのプラグ装置は、無線側接続部１１、電力発生部１２、メモリ制御部１３、メモリ部１４、有線側接続部１６、電力導入部１７、検出信号生成部１８をワンチップにまとめて集積した不揮発性メモリ内蔵通信制御ＩＣ１００を用いている。加えて、ＣＰＵ１９として機能するＩＣが実装されている。これらにより、非常にコンパクトなまとまりを実現している。
【００４９】
通信制御ＩＣ１００のメモリ部１４には、書き換え不能に識別ＩＤを備えさせることができ、これにより、リーダライタの側からプラグ装置としての識別が可能になる。メモリ部１４の書き換え可能な領域は、ユーザに開放される。その容量は、例えば、２ｋＢから８ｋＢである。通信制御ＩＣ１００とＣＰＵ１９との間のプロトコルには例えばＩ２Ｃを使用でき、ＣＰＵ１９につながる有線インターフェースの規格には、例えばＣＡＮ、ＬＩＮのほか、ＵＳＢやＵＡＲＴのものを用いることができる。一方、通信制御ＩＣ１００につながる非接触インターフェースの規格としては、例えばＩＳＯ１５６９３を使用することができる。
【符号の説明】
【００５０】
１…プラグ装置、１０…コイルアンテナ、１０ａ…整合用可変キャパシタ、１１…無線側接続部、１２…電力発生部、１３…メモリ制御部、１４…メモリ部、１５…端子部、１６…有線側接続部、１７…電力導入部、１８…検出信号生成部、１９…ＣＰＵ、２１…配線基板、５０…リーダライタ（スマートフォン）、６０…各種機器（ホストＣＰＵ）、１００…不揮発性メモリ内蔵通信制御ＩＣ。
【図１】
0005974648.tif 000002
【図２】
0005974648.tif 000003
【図３】
0005974648.tif 000004